(57)【要約】【課題】通信先のＩＣカードが接続される端末装置が変更された場合でも、ＩＣカード間の通信を可能とする。【解決手段】各ＩＣカード１から当該ＩＣカードのＩＤと接続情報をサーバ３へ通知し、サーバ３により、各ＩＣカード１のＩＤと接続情報とを対応付けてデータベース４に記憶しておく。ＩＣカード１は、他のＩＣカードと通信する際に、通信先のＩＣカードの接続情報をそのＩＤを特定してサーバ３に要求する。サーバ３は、その要求で特定されたＩＤに対応する接続情報をデータベース４に記憶された接続情報の中から検索し、得られた接続情報を要求元のＩＣカード１へ通知する。【選択図】　　　図１
2004013735.tif 000002
【特許請求の範囲】
【請求項１】
ＩＣカードと当該ＩＣカードが接続される端末装置と当該端末装置にネットワークを介して接続可能なサーバとを備えたＩＣカードの接続情報管理システムであって、
前記ＩＣカードは、当該ＩＣカードのＩＤおよび接続情報をサーバに通知する通知手段と、
他のＩＣカードについての接続情報をそのＩＤを特定して前記サーバに要求する要求手段と、
要求した接続情報を前記サーバから取得する取得手段と、を有し、
前記サーバは、ＩＣカードから通知されたＩＤおよび接続情報を対応付けて記憶する記憶手段と、
ＩＣカードからの前記接続情報の要求に対して、前記記憶手段に記憶されている接続情報の中から前記要求で特定されたＩＤに対応する接続情報を検索する検索手段と、
検索された接続情報を要求元のＩＣカードに通知する通知手段と、を有することを特徴とするＩＣカードの接続情報管理システム。
【請求項２】
前記ＩＣカードの通知手段は、前記サーバと相互認証をした後に前記通知を行うことを特徴とする請求項１記載のＩＣカードの接続情報管理システム。
【請求項３】
前記ＩＣカードの要求手段は、前記サーバと相互認証をした後に前記要求を行うことを特徴とする請求項１又は２記載のＩＣカードの接続情報管理システム。
【請求項４】
前記ＩＣカードの通知手段は、当該ＩＣカードが前記端末装置に接続されたときに前記通知を行うことを特徴とする請求項１乃至３のいずれかに記載のＩＣカードの接続情報管理システム。
【請求項５】
前記ＩＣカードの通知手段は、当該ＩＣカードが接続された端末装置がネットワークに接続されたときに前記通知を行うことを特徴とする請求項１乃至４のいずれかに記載のＩＣカードの接続情報管理システム。
【請求項６】
前記接続情報は、少なくともネットワーク番号を含むことを特徴とする請求項１乃至５のいずれかに記載のＩＣカードの接続情報管理システム。
【請求項７】
前記接続情報は、ネットワーク種別をさらに含むことを特徴とする請求項６記載のＩＣカードの接続情報管理システム。
【請求項８】
ネットワークを介してサーバに接続される端末装置に接続可能なＩＣカードにより、当該ＩＣカードのＩＤおよび接続情報を前記サーバに通知する処理と、
他のＩＣカードについての接続情報をそのＩＤを特定して前記サーバに要求する処理と、を実行し、
前記サーバにより、ＩＣカードから通知されたＩＤおよび接続情報を対応付けて記憶する処理と、
記憶されている接続情報の中から前記要求で特定されたＩＤに対応する接続情報を検索する処理と、
検索された接続情報を要求元のＩＣカードに通知する処理と、を実行することを特徴とするＩＣカードの接続情報管理方法。
【請求項９】
前記ＩＣカードは、前記サーバと相互認証をした後に前記通知を行うことを特徴とする請求項８記載のＩＣカードの接続情報管理方法。
【請求項１０】
前記ＩＣカードは、前記サーバと相互認証をした後に前記要求を行うことを特徴とする請求項８又は９記載のＩＣカードの接続情報管理方法。
【請求項１１】
前記ＩＣカードは、当該ＩＣカードが前記端末装置に接続されたときに前記通知を行うことを特徴とする請求項８乃至１０のいずれかに記載のＩＣカードの接続情報管理方法。
【請求項１２】
前記ＩＣカードは、当該ＩＣカードが接続された端末装置がネットワークに接続されたときに前記通知を行うことを特徴とする請求項８乃至１１のいずれかに記載のＩＣカードの接続情報管理方法。
【請求項１３】
前記接続情報は、少なくともネットワーク番号を含むことを特徴とする請求項８乃至１１のいずれかに記載のＩＣカードの接続情報管理方法。
【請求項１４】
前記接続情報は、ネットワーク種別をさらに含むことを特徴とする請求項１３記載のＩＣカードの接続情報管理方法。
【請求項１５】
ネットワークを介してサーバに接続される端末装置に接続可能なＩＣカードであって、
当該ＩＣカードのＩＤおよび接続情報を前記サーバに通知する通知手段と、
他のＩＣカードについての接続情報をそのＩＤを特定して前記サーバに要求する要求手段と、
要求した接続情報を前記サーバから取得する取得手段と、
を有することを特徴とするＩＣカード。
【請求項１６】
前記通知手段は、前記サーバと相互認証をした後に前記通知を行うことを特徴とする請求項１５記載のＩＣカード。
【請求項１７】
前記要求手段は、前記サーバと相互認証をした後に前記要求を行うことを特徴とする請求項１５又は１６記載のＩＣカード。
【請求項１８】
前記通知手段は、当該ＩＣカードが前記端末装置に接続されたときに前記通知を行うことを特徴とする請求項１５乃至１７のいずれかに記載のＩＣカード。
【請求項１９】
前記通知手段は、当該ＩＣカードが接続された端末装置がネットワークに接続されたときに前記通知を行うことを特徴とする請求項１５乃至１８のいずれかに記載のＩＣカード。
【請求項２０】
前記接続情報は、少なくともネットワーク番号を含むことを特徴とする請求項１５乃至１９のいずれかに記載のＩＣカード。
【請求項２１】
前記接続情報は、ネットワーク種別をさらに含むことを特徴とする請求項２０記載のＩＣカード。
【請求項２２】
ＩＣカードが接続される端末装置にネットワークを介して接続可能なサーバであって、
ＩＣカードから通知された当該ＩＣカードのＩＤおよび接続情報を対応付けて記憶する記憶手段と、
ＩＣカードからのＩＤを特定した接続情報の要求に対して、前記記憶手段に記憶されている接続情報の中からそのＩＤに対応する接続情報を検索する検索手段と、
検索された接続情報を要求元のＩＣカードに通知する通知手段と、
を有することを特徴とするサーバ。
【請求項２３】
前記ＩＣカードと相互認証をした後に当該ＩＣカードからの前記通知を受け付けることを特徴とする請求項２２記載のサーバ。
【請求項２４】
前記ＩＣカードと相互認証をした後に当該ＩＣカードからの前記要求を受け付けることを特徴とする請求項２２又は２３記載のサーバ。
【請求項２５】
前記接続情報は、少なくともネットワーク番号を含むことを特徴とする請求項２２乃至２４のいずれかに記載のサーバ。
【請求項２６】
前記接続情報は、ネットワーク種別をさらに含むことを特徴とする請求項２５に記載のサーバ。
【請求項２７】
接続されたＩＣカードを通信可能にする端末装置であって、
当該端末装置の接続情報を前記ＩＣカードに通知する通知手段と、
通信先のＩＣカードのＩＤを格納しておく格納手段と、
通信先のＩＣカードのＩＤを前記格納手段から読み出して前記ＩＣカードに通知する通知手段と、
を有することを特徴とする端末装置。
【発明の詳細な説明】
【０００１】
【発明の属する技術分野】
本発明は、ＩＣカード間で通信を行う際のＩＣカードの接続情報を管理するＩＣカードの接続情報管理システム、接続情報管理方法、これに用いるＩＣカード、サーバ、端末装置に関する。
【０００２】
【従来の技術】
近年、固有のＩＤを持つＩＣカードが急速に普及しつつある。ＩＣカードは、利用者によって携帯電話の所定のスロットに挿入されたり、インターネットに接続されたパソコンに接続され、同じように他の携帯電話やパソコン等に接続された他のＩＣカードと通信ができるものである。
【０００３】
例えば、ＩＣカードが携帯電話に挿入された場合には電話番号を用いた通信が行われ、ＩＣカードが前記のパソコンに接続された場合にはＩＰアドレスを用いた通信が行われる。このようなＩＣカード間での通信を可能とするため、当該ＩＣカードが接続される携帯電話やパソコンといった端末装置では、他のＩＣカードが接続される端末装置の電話番号やＩＰアドレスといった接続情報を予め登録しておくようになっていた。
【０００４】
【発明が解決しようとする課題】
しかしながら、このようなＩＣカードは、他のＩＣカードの接続先が、その利用者によって接続情報が異なる別の端末装置に変更された場合には、当該他のＩＣカードに対して予め登録されていた接続情報ではもはや通信を行うことができなくなるという問題があった。
【０００５】
本発明は、上記に鑑みてなされたものであり、その目的とするところは、通信先のＩＣカードが接続される端末装置が変更された場合でも、ＩＣカード間の通信を可能とし得るＩＣカードの接続情報管理システム、接続情報管理方法を提供することにある。
【０００６】
本発明の別の目的は、上記ＩＣカードの接続情報管理システム、接続情報管理方法に用いられるＩＣカード、サーバ、端末装置を提供することにある。
【０００７】
【課題を解決するための手段】
第１の本発明に係るＩＣカードの接続情報管理システムは、ＩＣカードと当該ＩＣカードが接続される端末装置と当該端末装置にネットワークを介して接続可能なサーバとを備えたＩＣカードの接続情報管理システムであって、前記ＩＣカードは、当該ＩＣカードのＩＤおよび接続情報をサーバに通知する通知手段と、他のＩＣカードについての接続情報をそのＩＤを特定して前記サーバに要求する要求手段と、要求した接続情報を前記サーバから取得する取得手段と、を有し、前記サーバは、ＩＣカードから通知されたＩＤおよび接続情報を対応付けて記憶する記憶手段と、ＩＣカードからの前記接続情報の要求に対して、前記記憶手段に記憶されている接続情報の中から前記要求で特定されたＩＤに対応する接続情報を検索する検索手段と、検索された接続情報を要求元のＩＣカードに通知する通知手段と、を有することを特徴とする。
【０００８】
本発明にあっては、サーバで各ＩＣカードのＩＤと接続情報とを対応付けて記憶しておき、ＩＣカードが、他のＩＣカードと通信する際に、通信先のＩＣカードの接続情報をそのＩＤを特定した上でサーバに要求することによって、通信先のＩＣカードの現在の接続情報を取得できるようにしたことで、通信先のＩＣカードが接続されている端末装置が過去に変更されたものだとしても、ＩＣカードは取得した接続情報を用いることによってその通信先のＩＣカードとの通信を行うことができる。
【０００９】
ここで、「端末装置」とは、携帯電話やパソコンなど、ＩＣカードが接続可能であってネットワークにも接続可能な装置のことをいう。また、「ネットワーク」には、電話網やインターネット等が含まれ、有線又は無線のいずれによるものも含まれる。また、「接続情報」とは、端末装置間での通信接続に用いられる情報のことをいう。
【００１０】
上記ＩＣカードの接続情報管理システムにおいて、前記ＩＣカードの通知手段は、前記サーバと相互認証をした後に前記通知を行うことを特徴とする。
【００１１】
本発明にあっては、ＩＣカードからサーバへＩＤおよび接続情報を通知するときに、ＩＣカードとサーバ間で相互認証を行うようにしたことで、偽造されたＩＣカードからのＩＤと接続情報がサーバに記憶されることを排除することができる。
【００１２】
上記各ＩＣカードの接続情報管理システムにおいて、前記ＩＣカードの要求手段は、前記サーバと相互認証をした後に前記要求を行うことを特徴とする。
【００１３】
本発明にあっては、ＩＣカードが通信先のＩＣカードのＩＤおよび接続情報をサーバに要求する際に、ＩＣカードとサーバ間で相互認証を行うようにしたことで、偽造されたＩＣカードにＩＤおよび接続情報が漏洩することを防止することができる。
【００１４】
上記各ＩＣカードの接続情報管理システムにおいて、前記ＩＣカードの通知手段は、当該ＩＣカードが前記端末装置に接続されたときに前記通知を行うことを特徴とする。
【００１５】
本発明にあっては、ＩＣカードが端末装置に接続されたときに、ＩＣカードからＩＤと接続情報をサーバへ通知するようにしたことで、サーバで最新の接続情報を記憶できるようにしている。
【００１６】
上記各ＩＣカードの接続情報管理システムにおいて、前記ＩＣカードの通知手段は、当該ＩＣカードが接続された端末装置がネットワークに接続されたときに前記通知を行うことを特徴とする。
【００１７】
本発明にあっては、ＩＣカードが接続された端末装置がネットワークに接続されたときに、ＩＣカードからＩＤと接続情報をサーバへ通知するようにしたことで、サーバで最新の接続情報を記憶できるようにしている。
【００１８】
上記各ＩＣカードの接続情報管理システムにおいて、前記接続情報は、少なくともネットワーク番号を含むことを特徴とする。
【００１９】
本発明にあっては、ＩＣカードが他のＩＣカードと通信を行うために最小限必要な情報としてネットワーク番号を接続情報に含めることとしたものである。ここで、ネットワーク番号には、電話番号又はＩＰアドレスのうちの少なくとも一方が含まれる。例えば、サーバが接続されるネットワークが電話回線であれば電話番号が含まれ、サーバがさらにインターネットにも接続される場合にはＩＰアドレスも含まれる。
【００２０】
上記ＩＣカードの接続情報管理システムにおいて、前記接続情報は、ネットワーク種別をさらに含むことを特徴とする。
【００２１】
本発明にあっては、ネットワークが複数の種別に渡るケースを想定し、サーバにおいて、ＩＣカードのＩＤとネットワーク番号とネットワーク種別とを対応付けて記憶できるようにしている。
【００２２】
第２の本発明に係るＩＣカードの接続情報管理方法は、ネットワークを介してサーバに接続される端末装置に接続可能なＩＣカードにより、当該ＩＣカードのＩＤおよび接続情報を前記サーバに通知する処理と、他のＩＣカードについての接続情報をそのＩＤを特定して前記サーバに要求する処理と、を実行し、前記サーバにより、ＩＣカードから通知されたＩＤおよび接続情報を対応付けて記憶する処理と、記憶されている接続情報の中から前記要求で特定されたＩＤに対応する接続情報を検索する処理と、検索された接続情報を要求元のＩＣカードに通知する処理と、を実行することを特徴とする。
【００２３】
上記ＩＣカードの接続情報管理方法において、前記ＩＣカードは、前記サーバと相互認証をした後に前記通知を行うことを特徴とする。
【００２４】
上記各ＩＣカードの接続情報管理方法において、前記ＩＣカードは、前記サーバと相互認証をした後に前記要求を行うことを特徴とする。
【００２５】
上記各ＩＣカードの接続情報管理方法において、前記ＩＣカードは、当該ＩＣカードが前記端末装置に接続されたときに前記通知を行うことを特徴とする。
【００２６】
上記各ＩＣカードの接続情報管理方法において、前記ＩＣカードは、当該ＩＣカードが接続された端末装置がネットワークに接続されたときに前記通知を行うことを特徴とする。
【００２７】
上記各ＩＣカードの接続情報管理方法において、前記接続情報は、少なくともネットワーク番号を含むことを特徴とする。
【００２８】
上記ＩＣカードの接続情報管理方法において、前記接続情報は、ネットワーク種別をさらに含むことを特徴とする。
【００２９】
第３の本発明に係るＩＣカードは、ネットワークを介してサーバに接続される端末装置に接続可能なＩＣカードであって、当該ＩＣカードのＩＤおよび接続情報を前記サーバに通知する通知手段と、他のＩＣカードについての接続情報をそのＩＤを特定して前記サーバに要求する要求手段と、要求した接続情報を前記サーバから取得する取得手段と、を有することを特徴とする。
【００３０】
上記ＩＣカードにおいて、前記通知手段は、前記サーバと相互認証をした後に前記通知を行うことを特徴とする。
【００３１】
上記各ＩＣカードにおいて、前記要求手段は、前記サーバと相互認証をした後に前記要求を行うことを特徴とする。
【００３２】
上記各ＩＣカードにおいて、前記通知手段は、当該ＩＣカードが前記端末装置に接続されたときに前記通知を行うことを特徴とする。
【００３３】
上記各ＩＣカードにおいて、前記通知手段は、当該ＩＣカードが接続された端末装置がネットワークに接続されたときに前記通知を行うことを特徴とする。
【００３４】
上記各ＩＣカードにおいて、前記接続情報は、少なくともネットワーク番号を含むことを特徴とする。
【００３５】
上記ＩＣカードにおいて、前記接続情報は、ネットワーク種別をさらに含むことを特徴とする。
【００３６】
第４の本発明に係るサーバは、ＩＣカードが接続される端末装置にネットワークを介して接続可能なサーバであって、ＩＣカードから通知された当該ＩＣカードのＩＤおよび接続情報を対応付けて記憶する記憶手段と、ＩＣカードから通知された他のＩＣカードについてのＩＤを特定した上での接続情報の要求に対して、前記記憶手段に記憶されている接続情報の中からそのＩＤに対応する接続情報を検索する検索手段と、検索された接続情報を要求元のＩＣカードに通知する通知手段と、を有することを特徴とする。
【００３７】
上記サーバは、前記ＩＣカードと相互認証をした後に当該ＩＣカードからの前記通知を受け付けることを特徴とする。
【００３８】
上記各サーバは、前記ＩＣカードと相互認証をした後に当該ＩＣカードからの前記要求を受け付けることを特徴とする。
【００３９】
上記各サーバにおいて、前記接続情報は、少なくともネットワーク番号を含むことを特徴とする。
【００４０】
上記サーバにおいて、前記接続情報は、ネットワーク種別をさらに含むことを特徴とする。
【００４１】
第５の本発明に係る端末装置は、接続されたＩＣカードを通信可能にする端末装置であって、当該端末装置の接続情報を前記ＩＣカードに通知する通知手段と、通信先のＩＣカードのＩＤを格納しておく格納手段と、通信先のＩＣカードのＩＤを前記格納手段から読み出して前記ＩＣカードに通知する通知手段と、を有することを特徴とする。
【００４２】
【発明の実施の形態】
以下、本発明の実施の形態について図面を用いて説明する。
【００４３】
図１は、一実施の形態に係るＩＣカードの接続情報管理システムの構成を示すブロック図である。ＩＤが００１のＩＣカード１ａは携帯電話２ａに挿入され、ＩＤが００２のＩＣカード１ｂはパソコン２ｂに接続される。携帯電話２ａは、無線通信により電話網５に通信接続される。パソコン２ｂは、例えば電話網５に電話回線で通信接続され、インターネット６に専用回線で通信接続される。サーバ３も、例えば電話網５に電話回線で接続され、インターネット６に専用回線で通信接続される。
【００４４】
ここで、携帯電話２ａやパソコン２ｂについては「端末装置２」と総称し、電話網５やインターネット６については「ネットワーク」と総称する。なお、電話網５とインターネット６は一体化して利用されることもあるが、ここでは、便宜上、電話網５では端末装置間で電話番号を用いた通信が行われるものとし、インターネット６ではＩＰアドレスを用いた通信が行われるものとする。
【００４５】
また、電話網やインターネットといった種別については「ネットワーク種別」と呼び、電話番号やＩＰアドレスについては「ネットワーク番号」と総称する。ネットワーク番号は、ネットワークの種別が異なる端末装置間では当然に異なるものであるが、同一のネットワーク内においても、インターネット６であれば端末装置毎に異なり、電話網５であれば回線毎に異なるものである。「接続情報」には、少なくともネットワーク番号が含まれる。本実施の形態では、接続情報に、一例としてさらにネットワーク種別も含まれる。
【００４６】
ＩＣカード１は、当該ＩＣカードが接続された端末装置２を通じて、他の端末装置に接続された他のＩＣカードと通信を行うことができるものである。その構成としては、接続された端末装置２から当該端末装置の接続情報を受信する受信部と、サーバ３と相互認証をした後に当該ＩＣカードのＩＤと接続情報をサーバ３へ通知する通知部と、サーバ３と相互認証をした後に他のＩＣカードの接続情報をそのＩＤを特定してサーバ３へ要求する要求部と、要求した接続情報をサーバ３から取得する取得部を有する。各部の処理については、専用のＬＳＩチップで実行するようにしてもよいし、所定の内蔵メモリにダウンロードされたプログラムで実行するようにしてもよい。
【００４７】
端末装置２は、当該端末装置に接続されたＩＣカード１に対して、当該端末装置の接続情報を通知する通知部と、通信先のＩＣカードのＩＤを予め格納しておく格納部と、通信先のＩＣカードのＩＤを格納部から読み出してＩＣカード１に通知する通知部を有する。各部の処理については、専用のＬＳＩチップで実行するようにしてもよいし、所定の内蔵メモリにダウンロードされたプログラムで実行するようにしてもよい。
【００４８】
サーバ３は、ＩＣカード１から通知されたＩＤと接続情報とを対応させて記憶するデータベース４と、ＩＣカード１からの要求に応じてデータベース４に記憶されている接続情報を検索する検索部と、検索により得られた接続情報を要求元のＩＣカード１へ通知する通知部を有する。サーバ３は例えば計算機で構成され、各部の処理はプログラムによって実行される。
【００４９】
次に、ＩＣカード１の接続情報をサーバ３に記憶させるときの処理の一例について図２を用いて説明する。この処理は、（１）ＩＣカード１が端末装置２に接続されたとき、（２）ＩＣカード１が接続された端末装置２がネットワークに接続されたとき、のいずれかを契機として開始される。
【００５０】
上記（１）（２）のうちのいずれかが発生すると、端末装置２は、当該端末装置の接続情報をＩＣカード１に通知する（ｄ１）。ここで、端末装置２は、ネットワーク番号を持っていればそれをＩＣカード１に通知し、ネットワーク番号を持たない場合であっても、ネットワーク接続時にネットワーク番号が割り振られた場合には、それを通知する。また、当該端末装置のネットワーク種別についてもＩＣカード１へ通知する。
【００５１】
接続情報を受信したＩＣカード１は、予めＩＣカード１に登録されているサーバ３のＩＰアドレス又は電話番号を用いて、端末装置２を通じてサーバ３に接続する（ｄ２）。この接続後、ＩＣカード１とサーバ３間で相互認証を行い、通信相手が管理対象であり偽造されたＩＣカードではないことを確認する（ｄ３）。この相互認証の処理には、例えばＰＫＩと呼ばれる手法を用いる。この手法では、所定の発行元が発行した証明書情報をＩＣカード１とサーバ３にそれぞれ登録しておき、これらを照合することによって互いに認証を行う。
【００５２】
相互認証の後、ＩＣカード１は、当該ＩＣカードのＩＤ、ネットワーク番号、ネットワーク種別をサーバ３に通知する（ｄ４）。
【００５３】
サーバ３は、ＩＣカード１から通知されたＩＤとネットワーク種別とネットワーク番号とを対応付けてデータベース４に記憶する（ｄ５）。このとき、そのＩＣカードについて接続情報を初めて記憶する場合には登録を行い、２回目以降の場合には更新を行う。
【００５４】
上記処理は、端末装置２を通じてネットワークに接続された全てのＩＣカードについて実行される。
【００５５】
次に、ＩＣカード１が他のＩＣカードと通信を行うときの処理の一例について図３を用いて説明する。
【００５６】
端末装置２は、他のＩＣカードと通信を行う必要があるときに、当該端末装置に接続されているＩＣカード１に対して、予め格納されている通信先のＩＣカードのＩＤを通知する（ｄ１１）。
【００５７】
ＩＤを受信したＩＣカード１は、サーバ３に接続し（ｄ１２）、サーバ３と相互認証を行う（ｄ１３）。ｄ１２，ｄ１３の処理は、図２のｄ２，ｄ３の処理と同様に行う。
【００５８】
相互認証の後、ＩＣカード１は、通信先のＩＣカードについての接続情報をそのＩＤを特定してサーバ３へ要求する（ｄ１４）。
【００５９】
サーバ３は、データベース４に記憶されている接続情報の中から、この要求で特定されたＩＤに対応する接続情報を検索し（ｄ１５）、得られた接続情報を要求元のＩＣカード１へ通知する（ｄ１６）。
【００６０】
通信先のＩＣカードの接続情報を取得したＩＣカード１は、その接続情報を用いて通信先のＩＣカードとの通信を開始する（ｄ１７）。
【００６１】
したがって、本実施の形態によれば、サーバ３により各ＩＣカード１のＩＤと接続情報とを対応付けて記憶しておき、ＩＣカード１が、他のＩＣカードと通信する際に、通信先のＩＣカードの接続情報をそのＩＤを特定してサーバ３に要求することによって、通信先のＩＣカードの現在の接続情報を取得できるようにしたことで、通信先のＩＣカードが接続されている端末装置が過去に変更されたものだとしても、ＩＣカードは取得した接続情報を用いることによってその通信先のＩＣカードとの通信を行うことができる。
【００６２】
本実施の形態によれば、ＩＣカード１からサーバ３へＩＤおよび接続情報を通知するときに、ＩＣカード１とサーバ３間で相互認証を行うようにしたことで、偽造されたＩＣカード１からのＩＤと接続情報がサーバ３に記憶されることを排除することができる。
【００６３】
本実施の形態によれば、ＩＣカード１が通信先のＩＣカードのＩＤおよび接続情報をサーバに要求する際に、当該ＩＣカード１とサーバ３間で相互認証を行うようにしたことで、偽造されたＩＣカードにＩＤおよび接続情報が漏洩することを防止することができる。
【００６４】
本実施の形態によれば、ＩＣカード１が端末装置２に接続されたとき、あるいは、ＩＣカード１が接続された端末装置２がネットワークに接続されたときに、ＩＣカード１からそのＩＤと接続情報をサーバ３へ通知してデータベース４に記憶するようにしたことで、サーバ３では最新の接続情報を管理することができる。
【００６５】
【発明の効果】
以上、説明したように、本発明に係るＩＣカードの接続情報管理システム、接続情報管理方法、ＩＣカード、サーバ、端末装置によれば、通信先のＩＣカードが接続されている端末装置が過去に変更されていたとしても、ＩＣカードは、通信先のＩＣカードの接続情報をそのＩＤを特定してサーバに要求することによって取得することができるので、その通信先のＩＣカードと通信を行うことができる。
【図面の簡単な説明】
【図１】一実施の形態に係るＩＣカードの接続情報管理システムの構成を示すブロック図である。
【図２】ＩＣカードの接続情報をサーバに記憶させるときの処理の一例を示すタイミングチャートである。
【図３】
ＩＣカードが他のＩＣカードと通信を行うときの処理の一例を示すタイミングチャートである。
【符号の説明】
１，１ａ，１ｂ　ＩＣカード
２　端末装置
２ａ　携帯電話
２ｂ　パソコン
３　サーバ
４　データベース
５　電話網
６　インターネット
【図１】
2004013735.tif 000003
【図２】
2004013735.tif 000004
【図３】
2004013735.tif 000005